(57)【要約】【課題】コレクションケースの大きさに関係なく灯具を使用せずにケース内に点灯回路ごと冷陰極管蛍光ランプを組み込んだケースを提供する。【解決手段】コレクションケース内に点灯回路を組み込ませ、ケースのフレーム部に冷陰極管専用ランプホルダーを装着し、冷陰極管端末ゴムブッシュを介して冷陰極管蛍光ランプを設置できる事を特長とした、コレクションケース内における照明としての冷陰極管蛍光ランプの設置方法。【選択図】図１
2007018990.tif 000002
【特許請求の範囲】
【請求項１】
コレクションケース内に点灯回路を組み込ませ、ケースのフレーム部に冷陰極管専用ランプホルダーを装着し、冷陰極管端末ゴムブッシュを介して冷陰極管蛍光ランプを設置できる事を特長とした、コレクションケース内における照明としての冷陰極管蛍光ランプの設置方法。
【発明の詳細な説明】
【技術分野】
【０００１】  本発明は、大きさに関わらずケース内に照明として冷陰極管蛍光ランプを設置する方法に関するものである。
【背景技術】
【０００２】  従来、ケース内部に蛍光灯やハロゲンランプ、電球などを設置したショーケース、又は灯具を用いた照明器具はあった。
【発明の開示】
【発明が解決しようとする課題】
【０００３】  そのために次のような問題点があった。
（イ）灯具を用いて蛍光灯や電球、ハロゲンランプと言った物をケース内に設置するには灯具自体の大きさもある為、ある程度の大きさや幅が無いと設置が難しかった。
（ロ）発熱量もあり紫外線も出ている為、ケース内の温度上昇によって物品が変色してしまう事があった。
（ハ）冷陰極管蛍光ランプ自体が極めて細い為、取り付けしにくかった。
本発明は以下の問題点を解決する為になされたものである。
【課題を解決する為の手段】
【０００４】  コレクションケース内に点灯回路を組み込ませる。ケースのフレーム部に冷陰極管専用ランプホルダーを装着させる。冷陰極管端末ゴムブッシュを介して冷陰極管蛍光ランプを設置できる事を特長とした、コレクションケース内における照明としての冷陰極管蛍光ランプの設置方法である。
【発明の効果】
【０００５】  冷陰極管蛍光ランプや点灯回路自体が軽量且つコンパクトな為、大きさやスペースを気にせず容易に設置できる。発熱量も少なく紫外線も極めて微量な為、小さなケースにおいてもケース内の温度上昇により物品が変色してしまう心配もほとんど無くなる。また冷陰極管蛍光ランプ本体に冷陰極管端末ゴムブッシュを装着する事によって、今まで取り付けしにくかった冷陰極管蛍光ランプも冷陰極管専用ランプホルダーで容易に取り付けられる。
【発明を実施するための最良の形態】
【０００６】  以下、本発明の実施の形態について説明する。
（イ）ケース本体（Ａ）のフレーム部（１）の上部に、図４に示す冷陰極管専用ランプホルダーの接着面（１３）に、ビス又は両面テープや面ファスナの様な物を貼り付け、しっかり固定して設置する。
（ロ）冷陰極管端末ゴムブッシュ（Ｃ）は、耐熱性・絶縁性に優れた硬質シリコンゴムを主材としており、冷陰極管蛍光ランプ（３Φ、４Φ専用）の端末として使用する物である。本物品の素材が持つ特性として、配線した部分の絶縁が容易となり、電極部分のガラス管補助の役割をする。中心部にそれぞれ内径２．５Φと４Φの穴を開けた円筒ゴムブッシュ部（７）を両端に位置し、その２つの円筒ゴムブッシュ部（７）を円筒外形よりも上下に１ｍｍずつ長い長方形ブロック部（８）を介して接合し、その長方形ブロック部（８）の片側に２．５Φの配線穴（９）を開け全ての穴を貫通させたリバーシブル構造になっている。つまりこの構造特性を活かすと、太さの異なる２種類の冷陰極管蛍光ランプ（５）を本物品１つで対応できると同時に、取り付け方向に合わせた配線が可能となり、多様に対応が出来る。また長方形ブロック部（８）がストッパーとしての役割を果たす。
（ハ）図２に示す冷陰極管蛍光ランプ直列横配線図は冷陰極管蛍光ランプ（５）に冷陰極管端末ゴムブッシュ（Ｃ）を介して装着した２組の冷陰極管蛍光ランプ本体（Ｂ）を直列に配線したものである。冷陰極管蛍光ランプ（５）に冷陰極管端末ゴムブッシュ（Ｃ）を装着する際に、２組の冷陰極管蛍光ランプ本体（Ｂ）を冷陰極管端末ゴムブッシュ（Ｃ）にある長方形ブロック部（８）に開けた配線穴（９）の一端が向かい合うように平行に並べ、もう一端の冷陰極管端末ゴムブッシュ（Ｃ）は長方形ブロック部（８）に開いた配線穴（９）の位置が１８０℃互い違いにした状態で同一方向になるように装着する。そしてハーネス線（６）を使って直列に配線する。
（二）また図７に示す冷陰極管蛍光ランプ直列縦配線図は、冷陰極管蛍光ランプ（５）に冷陰極管端末ゴムブッシュ（Ｃ）を装着する際に、２組の冷陰極管蛍光ランプ本体（Ｂ）を冷陰極管端末ゴムブッシュ（Ｃ）にある長方形ブロック部（８）に開けた配線穴（９）の一端が向かい合うように平行に並べ、もう一端の冷陰極管端末ゴムブッシュ（Ｃ）は長方形ブロック部（８）に開いた配線穴（９）の位置が９０℃互い違いにした状態で同一方向になるように装着する。そしてハーネス線（６）を使って直列に配線する。
（ホ）図５に示すように円筒ゴムブッシュ部（７）を冷陰極管専用ランプホルダー（Ｄ）にはめ込む。この時ホルダーロック部（１０）を軽く指で押すと、ホルダーバンド（１１）が緩み円筒ゴムブッシュ部（７）が装着し易くなる。また円筒ゴムブッシュ部（７）を装着後、ホルダーロックアシスト（１２）を指で押し込むと容易に固着する事が出来る。
（ヘ）図１に示す様にケース本体（Ａ）の背面に配線スペース（２）を配置した場合、側面部にハーネス線（６）を配線スペース（２）に引き込む為のハーネス線引き込み穴（４）を設け、その穴からハーネス線（６）を通して配線スペース（２）内部に設けた隙間に、ハーネス線（６）やインバーター、電源となるＤＣアダプター（３）やスイッチ類といった点灯回路の配線を設置し収納する。この配線例の場合、フレーム部（１）の上部だけで配線の取り回しが出来る為、配線が目立たなくて済む利点がある。
（ト）また図６に示す様にケース本体（Ａ）の底面部に配線スペース（２）を配置した場合、底面部にハーネス線引き込み穴（４）を設け、その穴からハーネス線（６）を通して配線スペース（２）内部に設けた隙間に、ハーネス線（６）やインバーター、電源となるＤＣアダプター（３）やスイッチ類といった点灯回路の配線を設置し収納する。
本発明は以上の構成よりなっている。
このコレクションケースを製作する上で、あらかじめケース内の背景となる側面部や底面部をミラー等の反射面を張り付けておく事によって、より一層ケース内が明るく照らされる効果が得られ、照明の灯りが届き難い場所に置いた場合でも斑の無い照明効果が得られる。
本発明の実施の形態では、コレクションケースを例に説明したが、お店のショーケースや棚下照明、家具類にも同様の方法で設置が可能である。
【図面の簡単な説明】
【０００７】
【図１】本発明の斜視図
【図２】本発明の冷陰極管蛍光ランプ直列横配線図
【図３】本発明の冷陰極管端末ゴムブッシュの説明図
【図４】本発明の冷陰極管専用ランプホルダーの説明図
【図５】本発明の冷陰極管蛍光ランプ本体とランプホルダーとの装着図
【図６】本発明の配線方法を変えた斜視図
【図７】本発明の冷陰極管蛍光ランプ直列縦配線図
【符号の説明】
【０００８】１    フレーム部
２    配線スペース
３    ＤＣアダプター
４    ハーネス線引き込み穴
５    冷陰極管蛍光ランプ
６    ハーネス線
７    円筒ゴムブッシュ部
８    長方形ブロック部
９    配線穴
１０  ホルダーロック部
１１  ホルダーバンド
１２  ホルダーロックアシスト
１３  接着面
Ａ    ケース本体
Ｂ    冷陰極管蛍光ランプ本体
Ｃ    冷陰極管端末ゴムブッシュ本体
Ｄ    冷陰極管専用ランプホルダー本体
【図１】
2007018990.tif 000003
【図２】
2007018990.tif 000004
【図３】
2007018990.tif 000005
【図４】
2007018990.tif 000006
【図５】
2007018990.tif 000007
【図６】
2007018990.tif 000008
【図７】
2007018990.tif 000009